(57)【要約】【課題】画質の補正のための処理負荷が増加することを抑制しながら、適切に画像の補正を行うことが可能な表示装置を提供する。【解決手段】このテレビジョン装置１００（表示装置）は、画像を表示する表示部１１と、表示部１１の表示を制御する制御部２０とを備える。制御部２０は、ユーザＡの表示部１１の垂線１０１に対する視野角φと、視野角φが大きくなるにつれて減少するコントラストに関する視野角特性とに基づいて、表示部１１に表示される画像の色味をコントラストに関する視野角特性とは反対に視野角が大きくなるにつれて増加させる補正を行うように構成されている。【選択図】図３
2015075731.tif 000002
【特許請求の範囲】
【請求項１】
画像を表示する表示部と、
前記表示部の表示を制御する制御部とを備え、
前記制御部は、ユーザの前記表示部の垂線に対する視野角と、前記視野角が大きくなるにつれて減少するコントラストに関する視野角特性とに基づいて、前記表示部に表示される前記画像の色味を前記コントラストに関する視野角特性とは反対に前記視野角が大きくなるにつれて増加させる補正を行うように構成されている、表示装置。
【請求項２】
前記制御部は、前記視野角と前記コントラストに関する視野角特性とに基づいて、前記表示部に表示される前記画像の色味を前記コントラストに関する視野角特性とは反対に前記視野角が大きくなるにつれて増加させる補正に加えて、さらに前記表示部に表示される前記画像の輝度を前記コントラストに関する視野角特性と同じように前記視野角が大きくなるにつれて減少させる補正を行うように構成されている、請求項１に記載の表示装置。
【請求項３】
前記制御部は、前記表示部に表示される前記画像の輝度の補正に基づいて前記コントラストに関する視野角特性を補正するとともに、補正後の前記コントラストに関する視野角特性に基づいて前記表示部に表示される前記画像の色味の補正を行うように構成されている、請求項２に記載の表示装置。
【請求項４】
前記制御部は、前記画像の色味の補正の際に、ユーザの前記表示部の垂線に対する前記視野角に応じて変化する前記コントラストに関する視野角特性の関数と負の相関を有する色味に関する関数に基づく色味の補正量を用いて前記画像の色味の補正を行うように構成されている、請求項１〜３のいずれか１項に記載の表示装置。
【請求項５】
前記制御部は、前記画像の輝度の補正の際に、ユーザの前記表示部の垂線に対する前記視野角に応じて変化する前記コントラストに関する視野角特性の関数と正の相関を有する輝度に関する関数に基づく輝度の補正量を用いて前記画像の輝度の補正を行うように構成されている、請求項２または３に記載の表示装置。
【請求項６】
ユーザの前記表示部の垂線に対する視野角を検出する視野角検出部をさらに備え、
前記制御部は、前記視野角検出部により検出されたユーザの前記表示部の垂線に対する視野角と、前記視野角が大きくなるにつれて減少するコントラストに関する視野角特性とに基づいて、前記表示部に表示される前記画像の色味を前記コントラストに関する視野角特性とは反対に前記視野角が大きくなるにつれて増加させる補正を行うように構成されている、請求項１〜５のいずれか１項に記載の表示装置。
【請求項７】
前記制御部は、前記画像の色味の補正の際に、前記コントラストに関する視野角特性に基づく色味の補正量を用いて色味の補正を行うように構成されるとともに、
複数のユーザにより前記表示部が視聴される場合には、各々のユーザの前記表示部に対する各々の前記視野角に基づいて得られる前記色味の補正量の平均値を取得するとともに、取得した前記色味の補正量の平均値に基づいて、前記表示部に表示される前記画像の色味の補正を行うように構成されている、請求項１〜６のいずれか１項に記載の表示装置。
【発明の詳細な説明】
【技術分野】
【０００１】
この発明は、表示装置に関し、特に、画像を表示する表示部と視野角に基づいて表示部の画像を補正する制御部とを備える表示装置に関する。
【背景技術】
【０００２】
従来、画像を表示する表示部と視野角に基づいて表示部の画像を補正する制御部とを備える表示装置が知られている（たとえば、特許文献１参照）。
【０００３】
上記特許文献１には、ユーザが表示装置を視聴する際の視認方向を示す視野角に応じて、表示装置に表示されている画像の色味などの画質が異なることを考慮して、視野角と視野角に応じた色度点の色変化量とを対応付けた色変化量情報を用いて、映像信号における色度点と視野角に応じた色変化量情報とを行列を用いて演算することにより補正する補正部（制御部）と、補正部による補正後の映像信号に基づいて映像表示を行う表示部とを備える表示装置が開示されている。
【先行技術文献】
【特許文献】
【０００４】
【特許文献１】特開２０１０−１６９８６８号公報
【発明の概要】
【発明が解決しようとする課題】
【０００５】
しかしながら、上記特許文献１に記載の表示装置では、通常画質の補正に適用されることのない色度点をパラメータとした演算による補正を行うため、補正部において複雑な計算をする必要があると考えられる。このため、処理負荷が増加してしまうという問題点がある。
【０００６】
この発明は、上記のような課題を解決するためになされたものであり、この発明の１つの目的は、画質の補正のための処理負荷が増加することを抑制しながら、適切に画像の補正を行うことが可能な表示装置を提供することである。
【課題を解決するための手段】
【０００７】
この発明の一の局面による表示装置は、画像を表示する表示部と、表示部の表示を制御する制御部とを備え、制御部は、ユーザの表示部の垂線に対する視野角と、視野角が大きくなるにつれて減少するコントラストに関する視野角特性とに基づいて、表示部に表示される画像の色味をコントラストに関する視野角特性とは反対に視野角が大きくなるにつれて増加させる補正を行うように構成されている。なお、本発明の「視野角」とは、表示部の垂線と、表示部の垂線と表示部とが交わる点とユーザとを結ぶ線とがなす角度を示す概念である。
【０００８】
この発明の一の局面による表示装置では、上記のように、ユーザの表示部の垂線に対する視野角と、視野角が大きくなるにつれて減少するコントラストに関する視野角特性とに基づいて、表示部に表示される画像の色味をコントラストに関する視野角特性とは反対に視野角が大きくなるにつれて増加させる補正を行うように制御部を構成することによって、視野角が大きくなるにつれて画像が明るく見える（色が薄く見える）特性を有する表示装置において、視野角が大きくなるにつれて画像の色味を増加させる（色を濃くする）補正が行われるので、ユーザは、いずれの視野角で表示装置の画像を視聴する場合にも、適切な色味の画像を享受することができる。また、この補正方法によれば、視野角とコントラストに関する視野角特性とに基づいて、表示装置において基本的に備えられている画質調整パラメータである色味を用いた補正を行うことによって、画質の補正のための処理負荷が増加することを抑制しながら、適切に画像の補正を行うことができる。
【０００９】
上記一の局面による表示装置において、好ましくは、制御部は、視野角とコントラストに関する視野角特性とに基づいて、表示部に表示される画像の色味をコントラストに関する視野角特性とは反対に視野角が大きくなるにつれて増加させる補正に加えて、さらに表示部に表示される画像の輝度をコントラストに関する視野角特性と同じように視野角が大きくなるにつれて減少させる補正を行うように構成されている。このように構成すれば、視野角が大きくなるにつれて画像が明るく見える特性を有する表示装置において、視野角が大きくなるにつれて画像の輝度を減少させる補正が行われるので、画像のコントラストを改善することができる。この結果、ユーザが視野角の大きい位置から画像を視聴する場合にも、ユーザは、コントラストの低下が抑制された画像を視聴することができる。また、色味と同様に表示装置において基本的に備えられている画質調整パラメータである輝度を用いた補正が行われるので、色味と輝度との両方を補正する場合にも、画質の補正のための処理負荷が増加することを抑制しながら、より適切に画像の補正を行うことができる。
【００１０】
この場合、好ましくは、制御部は、表示部に表示される画像の輝度の補正に基づいてコントラストに関する視野角特性を補正するとともに、補正後のコントラストに関する視野角特性に基づいて表示部に表示される画像の色味の補正を行うように構成されている。このように構成すれば、輝度の補正によりコントラストに関する視野角特性を改善するとともに、改善されたコントラストに関する視野角特性に基づいて、画像の色味を補正することができるので、補正前のコントラストに関する視野角特性に基づいて画像の色味を補正する場合と異なり、より一層適切に画像の補正を行うことができる。
【００１１】
上記一の局面による表示装置において、好ましくは、制御部は、画像の色味の補正の際に、ユーザの表示部の垂線に対する視野角に応じて変化するコントラストに関する視野角特性の関数と負の相関を有する色味に関する関数に基づく色味の補正量を用いて画像の色味の補正を行うように構成されている。このように構成すれば、コントラストに関する視野角特性の関数から補正量を決定するための色味に関する関数を容易に求めることができるので、色味の補正量を容易に決定することができる。また、コントラストに関する視野角特性の関数と負の相関を有する色味に関する関数に基づく色味の補正量を用いて画像の色味の補正を行うことによって、視野角が大きくなるにつれて画像の色味を増加させる（色を濃くする）補正を確実に行うことができる。
【００１２】
上記表示部に表示される画像の輝度の補正を行う構成において、好ましくは、制御部は、画像の輝度の補正の際に、ユーザの表示部の垂線に対する視野角に応じて変化するコントラストに関する視野角特性の関数と正の相関を有する輝度に関する関数に基づく輝度の補正量を用いて画像の輝度の補正を行うように構成されている。このように構成すれば、輝度に関する関数についても、コントラストに関する視野角特性の関数から容易に求めることができるので、輝度の補正量を容易に決定することができる。また、コントラストに関する視野角特性の関数と正の相関を有する輝度に関する関数に基づく輝度の補正量を用いて画像の輝度の補正を行うことによって、視野角が大きくなるにつれて画像の輝度を減少させる補正を確実に行うことができる。
【００１３】
上記一の局面による表示装置において、好ましくは、ユーザの表示部の垂線に対する視野角を検出する視野角検出部をさらに備え、制御部は、視野角検出部により検出されたユーザの表示部の垂線に対する視野角と、視野角が大きくなるにつれて減少するコントラストに関する視野角特性とに基づいて、表示部に表示される画像の色味をコントラストに関する視野角特性とは反対に視野角が大きくなるにつれて増加させる補正を行うように構成されている。このように構成すれば、視野角検出部により視野角が検出されるので、たとえば、視野角をユーザが自ら入力する場合とは異なり、ユーザの手間が増加することを抑制しながら、視野角に応じた画像の補正を適切に行うことができる。
【００１４】
上記一の局面による表示装置において、好ましくは、制御部は、画像の色味の補正の際に、コントラストに関する視野角特性に基づく色味の補正量を用いて色味の補正を行うように構成されるとともに、複数のユーザにより表示部が視聴される場合には、各々のユーザの表示部に対する各々の視野角に基づいて得られる色味の補正量の平均値を取得するとともに、取得した色味の補正量の平均値に基づいて、表示部に表示される画像の色味の補正を行うように構成されている。このように構成すれば、複数のユーザにより表示部が視聴される場合には、特定のユーザの視野角のみに基づいて補正がなされることなく、全てのユーザに対して適切な画像を提供することができる。
【発明の効果】
【００１５】
画質の補正のための処理負荷が増加することを抑制しながら、適切に画像の補正を行うことが可能な表示装置を提供することができる。
【図面の簡単な説明】
【００１６】
【図１】本発明の第１実施形態によるテレビジョン装置の全体構成を示す図である。
【図２】本発明の第１実施形態によるテレビジョン装置の構成を示すブロック図である。
【図３】本発明の第１実施形態によるテレビジョン装置の画質補正のための関数を説明するための図である。
【図４】本発明の第２実施形態によるテレビジョン装置の画質補正のための関数を説明するための図である。
【図５】本発明の第３実施形態によるテレビジョン装置を２人のユーザが視聴する場合を説明するための図である。
【図６】本発明の第３実施形態によるテレビジョン装置を３人のユーザが視聴する場合を説明するための図である。
【図７】本発明の第１実施形態によるテレビジョン装置の変形例を説明するための図である。
【発明を実施するための形態】
【００１７】
以下、本発明を具体化した実施形態を図面に基づいて説明する。
【００１８】
（第１実施形態）
図１〜図３を参照して、本発明の第１実施形態によるテレビジョン装置１００の構成について説明する。なお、テレビジョン装置１００は、本発明の「表示装置」の一例である。
【００１９】
本発明の第１実施形態によるテレビジョン装置１００は、図１に示すように、テレビ番組や録画映像などの画像が表示される表示セル（液晶セル）からなる表示部１１と、ユーザＡの表示部１１の垂線１０１に対する視野角φを検出するための視野角検出部１２とを備えている。視野角検出部１２には、ユーザＡの表示部１１の垂線１０１に対する視野角φを検出可能であれば、どのような視野角検出部が用いられてもよく、たとえば、赤外線センサ、超音波センサなどの反射式の検出機構を用いるもの、カメラの撮像による顔検出機構を用いるもの、および、テレビジョン装置１００に付属するリモコンからの信号を検出するものなどが挙げられる。
【００２０】
視野角検出部１２は、視野角φを、表示部１１の法線方向に延びる表示部１１の垂線１０１と、表示部１１の垂線１０１と表示部１１とが交わる点とユーザＡとを結ぶ直線１０２とがなす角度として検出するように構成されている。なお、図示の都合上、図１においては、垂線１０１と直線１０２とが視野角検出部１２から延びるように記載している。ここで、垂線１０１と直線１０２とは、同一水平面内に存在している。すなわち、この第１実施形態では、ユーザＡのテレビジョン装置１００に対する左右方向の視野角φが視野角検出部１２により検出される場合について説明する。また、視野角検出部１２は、ユーザＡの表示部１１の垂線１０１に対する視野角φを、ユーザＡがテレビジョン装置１００の中央に対して右側にいる場合に正の角度として、ユーザＡがテレビジョン装置１００の中央に対して左側にいる場合に負の角度として検出するように構成されている。
【００２１】
次に、テレビジョン装置１００の各構成要素について図２を参照して説明する。テレビジョン装置１００は、図２に示すように、チューナ１３と、デコーダ１４と、デコーダ１５と、Ａ／Ｄコンバータ１６と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）受信部１７と、セレクトスイッチ（ＳＷ）１８と、視野角特性テーブル１９と、制御部２０とをさらに備えている。
【００２２】
チューナ１３は、放送波（ＲＦ）を受信するとともに、受信した放送波に含まれる符号化された映像信号をデコーダ１４に出力するように構成されている。
【００２３】
デコーダ１４は、放送波の符号化された映像信号を複号するとともに、セレクトスイッチ１８に出力するように構成されている。
【００２４】
デコーダ１５は、レコーダなどの外部機器からアナログ信号としてのコンポジット映像信号（ＣＶＢＳ）が入力されるように構成されている。また、デコーダ１５は、このコンポジット映像信号を複号するとともに、デジタル信号に変換するように構成されている。また、デコーダ１５は、デジタル信号に変換したコンポジット映像信号をセレクトスイッチ１８に出力するように構成されている。
【００２５】
Ａ／Ｄコンバータ１６は、レコーダなどの外部機器からアナログ信号としてのコンポーネント映像信号（Ｃｏｍｐｏｎｅｎｔ  ＲＧＢ信号）が入力されるように構成されている。また、Ａ／Ｄコンバータ１６は、このコンポーネント映像信号をデジタル信号に変換するように構成されている。また、Ａ／Ｄコンバータ１６は、デジタル信号に変換したコンポーネント映像信号をセレクトスイッチ１８に出力するように構成されている。
【００２６】
ＨＤＭＩ受信部１７は、ＨＤＭＩ端子により接続された外部機器からデータが入力されるとともに、入力されたデータを複号し、データに含まれる映像信号をセレクトスイッチ１８に出力するように構成されている。
【００２７】
セレクトスイッチ１８は、入力された映像信号のうちのいずれの映像信号を制御部２０に出力するか選択するように構成されている。
【００２８】
ここで、第１実施形態では、視野角特性テーブル１９は、視野角検出部１２により検出されたユーザＡ（図１参照）の表示部１１の垂線１０１に対する視野角φの情報が入力されるように構成されている。また、視野角特性テーブル１９には、ユーザＡの表示部１１の垂線１０１に対する視野角に対応付けられた後述するコントラスト比の視野角特性の関数ｙ１＝Ｆ（φ）（図３参照）に基づくｙ１の値が格納されている。ここで、ｙ１は、視野角φにおけるコントラスト比の値である。また、視野角特性テーブル１９は、視野角検出部１２により検出された視野角φの情報が入力された後、対応するコントラスト比の値ｙ１を制御部２０に出力するように構成されている。
【００２９】
また、第１実施形態では、制御部２０は、入力された視野角φに対応するコントラスト比の値ｙ１に基づいて画像の補正量を算出するように構成されている。具体的には、制御部２０は、輝度の補正量であるブライトネス補正量と、色味（色の濃淡）の補正量であるカラーゲイン補正量との２つの補正量を算出するように構成されている。このブライトネス補正量およびカラーゲイン補正量の算出については、後段において詳述する。
【００３０】
また、制御部２０は、セレクトスイッチ１８から出力された映像信号を取得するように構成されている。また、制御部２０は、算出したブライトネスおよびカラーゲインの補正量に基づいて映像信号を補正するように構成されている。すなわち、制御部２０は、表示部１１に表示される画像全体を補正するように構成されている。そして、制御部２０は、補正した映像信号に基づく画像を表示部１１の画面に表示するように構成されている。このような画質の補正処理は、ユーザＡがテレビジョン装置１００を視聴している間、常に実行される。すなわち、ユーザＡがテレビジョン装置１００の視聴の最中に、視聴位置を移動した場合には、新しい視聴位置に基づいた視野角φが視野角検出部１２により検出されるとともに、新しい視野角φに基づいた画質の補正処理が実行される。
【００３１】
次に、図１〜図３を参照して、ブライトネス補正量およびカラーゲイン補正量の算出と、具体的補正内容とについて説明する。
【００３２】
図３には、コントラスト比の視野角特性の関数ｙ１＝Ｆ（φ）（実線で示す）、ブライトネス補正量の関数ｙ２＝Ｇ（φ）（破線で示す）およびカラーゲイン補正量の関数ｙ３＝Ｇ（φ）（一点鎖線で示す）のグラフを示している。グラフの横軸は、ユーザＡ（図１参照）の表示部１１（図１参照）の垂線１０１に対する視野角φを示している。また、グラフの左側の縦軸は、視野角特性の関数の値ｙ１を示し、グラフの右側の縦軸は、ブライトネス補正量の関数およびカラーゲイン補正量の関数の値ｙ２およびｙ３を示している。
【００３３】
視野角特性の関数ｙ１＝Ｆ（φ）は、ユーザＡの各々の視野角における、コントラスト比の値の変化を表している。この視野角特性（および視野角特性を表す関数）は、視聴する表示装置ごとに異なるため、表示装置ごとに測定する。視野角特性の関数ｙ１＝Ｆ（φ）は、図３に示すように、視野角が大きくなるにつれてコントラスト比が減少する傾向にある関数である。すなわち、何ら補正がなされない場合には、視野角（視野角の絶対値）が大きくなるにつれて（ユーザＡの視聴位置がテレビジョン装置１００の中央から左右にずれるにつれて）ユーザＡから見た表示部１１（図１参照）に表示されている画像のコントラスト比が減少する。このため、ユーザＡが大きな視野角φの視聴位置から表示部１１の画像を視聴する場合には、ユーザＡから見た画像が幕を張ったように明るく見える、いわゆる“黒浮き”の状態となる。この場合には、ユーザＡは、適切な画像を視聴することができないため、視聴位置を変更するなどの行動を余儀なくされる。
【００３４】
ブライトネス補正量の関数ｙ２＝Ｇ（φ）は、テレビジョン装置１００の各々の視野角φにおける、ブライトネス補正量の変化を表している。また、ブライトネス補正量の関数ｙ２＝Ｇ（φ）は、視野角特性の関数ｙ１＝Ｆ（φ）と関係づけられた関数である、具体的には、Ｇ（φ）＝αＦ（φ）＋ｃで表される。ここで、係数αは、０＜α＜１の範囲内で決定される所定の値であり、ｃは、所定の値である。このように、ブライトネス補正量の関数ｙ２＝Ｇ（φ）は、視野角特性の関数ｙ１＝Ｆ（φ）と正の相関を有する関数である。ブライトネス補正量の関数ｙ２＝Ｇ（φ）は、視野角（視野角の絶対値）が大きくなるにつれてブライトネス（輝度）を減少させる補正を行うことを表している。詳細には、ブライトネス補正量ｙ２＝Ｇ（φ）は、視野角φが０度の場合には、補正量も０である。そして、ブライトネス補正量ｙ２＝Ｇ（φ）は、視野角φが０度よりも大きい場合には、負の値を示すとともに、視野角φが大きくなるにつれて補正量（ｙ２の値）も増加する。以上のように、視野角φが０度よりも大きい場合には、視野角特性に応じて表示部１１に表示されている画像のブライトネスを下げることにより、コントラスト比を改善する（正面から見た状態に近付ける）ことができる。これにより、“黒浮き”の状態を緩和することができるので、ユーザＡは、輝度の補正された適切な画像を享受することができる。
【００３５】
カラーゲイン補正量の関数ｙ３＝Ｈ（φ）は、テレビジョン装置１００の各々の視野角φにおける、カラーゲイン補正量の変化を表している。また、カラーゲイン補正量の関数ｙ３＝Ｈ（φ）も、ブライトネス補正量の関数ｙ２＝Ｇ（φ）と同様に、視野角特性の関数ｙ１＝Ｆ（φ）と関係づけられた関数である、具体的には、Ｈ（φ）＝−βＦ（φ）＋ｄで表される。ここで、係数βは、０＜β＜１の範囲内で決定される所定の値であり、ｄは、所定の値である。すなわち、カラーゲイン補正量の関数ｙ３＝Ｈ（φ）は、視野角特性の関数ｙ１＝Ｆ（φ）と負の相関を有する関数である。カラーゲイン補正量の関数ｙ３＝Ｈ（φ）は、視野角φが大きくなるにつれてカラーゲイン（色味の濃さ）を増加させる補正を行うことを表している。詳細には、カラーゲイン補正量ｙ３＝Ｈ（φ）は、視野角φが０度の場合には、補正量も０である。そして、カラーゲイン補正量ｙ３＝Ｈ（φ）は、視野角φが０度よりも大きい場合には、正の値を示すとともに、視野角φが大きくなるにつれて補正量（ｙ３の値）も増加する。上述した“黒浮き”の状態では、画像の色味が薄く見える。このため、表示部１１に表示されている画像のカラーゲインを上げる（色味を濃くする）ことにより、色味に関する画質を改善する（正面から見た状態に近付ける）ことができるので、ユーザＡは、カラーゲインの補正によって、色味の補正された適切な画像を享受することができる。
【００３６】
第１実施形態では、以下のような効果を得ることができる。
【００３７】
第１実施形態では、上記のように、ユーザＡの表示部１１の垂線１０１に対する視野角φと、視野角φが大きくなるにつれて減少するコントラスト比の視野角特性とに基づいて、表示部１１に表示される画像の色味（カラーゲイン）をコントラスト比の視野角特性とは反対に視野角φが大きくなるにつれて増加させる補正を行うように制御部２０を構成することによって、視野角φが大きくなるにつれて画像が明るく見える（色が薄く見える）特性を有するテレビジョン装置１００において、視野角φが大きくなるにつれて画像の色味を増加させる（色を濃くする）補正が行われるので、ユーザＡは、いずれの視野角φでテレビジョン装置１００の画像を視聴する場合にも、適切な色味の画像を享受することができる。また、この補正方法によれば、視野角φとコントラスト比の視野角特性とに基づいて、テレビジョン装置１００において基本的に備えられている画質調整パラメータである色味（カラーゲイン）を用いた補正が行われるので、画質の補正のための処理負荷が増加することを抑制しながら、適切に画像の補正を行うことができる。
【００３８】
また、第１実施形態では、上記のように、視野角φとコントラスト比の視野角特性とに基づいて、表示部１１に表示される画像の色味（カラーゲイン）をコントラスト比の視野角特性とは反対に視野角φが大きくなるにつれて増加させる補正に加えて、さらに表示部１１に表示される画像の輝度（ブライトネス）をコントラスト比の視野角特性と同じように視野角φが大きくなるにつれて減少させる補正を行うように制御部２０を構成する。これにより、視野角φが大きくなるにつれて画像が明るく見える特性を有するテレビジョン装置１００において、視野角φが大きくなるにつれて画像の輝度を減少させる補正が行われるので、画像のコントラストを改善することができる。この結果、ユーザＡが視野角φの大きい位置から画像を視聴する場合にも、ユーザＡは、コントラストの低下が抑制された画像を視聴することができる。また、色味（カラーゲイン）と同様にテレビジョン装置１００において基本的に備えられている画質調整パラメータである輝度（ブライトネス）を用いた補正が行われるので、色味と輝度との両方を補正する場合にも、画質の補正のための処理負荷が増加することを抑制しながら、より適切に画像の補正を行うことができる。
【００３９】
また、第１実施形態では、上記のように、画像の色味の補正の際に、ユーザＡの表示部１１の垂線１０１に対する視野角φに応じて変化するコントラスト比の視野角特性の関数ｙ１＝Ｆ（φ）と負の相関を有するカラーゲイン補正量の関数ｙ３＝Ｈ（φ）＝−βＦ（φ）＋ｄに基づく色味の補正量ｙ２を用いて画像の色味の補正を行うように制御部２０を構成する。これにより、コントラスト比の視野角特性の関数ｙ１＝Ｆ（φ）から補正量を決定するためのカラーゲイン補正量の関数ｙ３＝Ｈ（φ）＝−βＦ（φ）＋ｄを容易に求めることができるので、色味の補正量ｙ３を容易に決定することができる。また、コントラスト比の視野角特性の関数ｙ１＝Ｆ（φ）と負の相関を有するカラーゲイン補正量の関数ｙ３＝Ｈ（φ）＝−βＦ（φ）＋ｄに基づく色味の補正量ｙ３を用いて画像の色味の補正を行うことによって、視野角φが大きくなるにつれて画像の色味を増加させる（色を濃くする）補正を確実に行うことができる。
【００４０】
また、第１実施形態では、上記のように、画像の輝度の補正の際に、ユーザＡの表示部１１の垂線１０１に対する視野角φに応じて変化するコントラスト比の視野角特性の関数ｙ１＝Ｆ（φ）と正の相関を有するブライトネス補正量の関数ｙ２＝Ｇ（φ）＝αＦ（φ）＋ｃに基づく輝度の補正量ｙ２を用いて画像の輝度の補正を行うように制御部２０を構成する。これにより、ブライトネス補正量の関数ｙ２＝Ｇ（φ）＝αＦ（φ）＋ｃについても、コントラスト比の視野角特性の関数ｙ１＝Ｆ（φ）から容易に求めることができるので、輝度の補正量ｙ２を容易に決定することができる。また、コントラスト比の視野角特性ｙ１＝Ｆ（φ）の関数と正の相関を有するブライトネス補正量の関数ｙ２＝Ｇ（φ）＝αＦ（φ）＋ｃに基づく輝度の補正量ｙ２を用いて画像の輝度の補正を行うことによって、視野角φが大きくなるにつれて画像の輝度を減少させる補正を確実に行うことができる。
【００４１】
また、第１実施形態では、上記のように、ユーザＡの表示部１１の垂線１０１に対する視野角φを検出する視野角検出部１２をさらに備え、制御部２０を、視野角検出部１２により検出されたユーザＡの表示部１１の垂線１０１に対する視野角φと、視野角φが大きくなるにつれて減少するコントラスト比の視野角特性とに基づいて、表示部１１に表示される画像の色味をコントラスト比の視野角特性とは反対に視野角が大きくなるにつれて増加させる補正を行うように構成する。これにより、視野角検出部１２により視野角φが検出されるので、たとえば、視野角φをユーザＡが自ら入力する場合とは異なり、ユーザＡの手間が増加することを抑制しながら、適切に視野角φに応じた画像の補正を行うことができる。
【００４２】
（第２実施形態）
次に、図１〜図４を参照して、第２実施形態について説明する。この第２実施形態では、ブライトネス補正とカラーゲイン補正とを互いに独立して行った上記第１実施形態とは異なり、ブライトネス補正後にカラーゲイン補正を行う例について説明する。
【００４３】
この第２実施形態では、まず、図４に示すように、ブライトネス補正量の関数ｙ２＝Ｇ（φ）に基づいて、ブライトネス補正量が制御部２０（図２参照）により算出される。そして、このブライネス補正量を用いて表示部１１に表示される画像のブライトネスの補正が制御部２０により行われる。一方で、ブライトネスの補正がなされた場合には、テレビジョン装置２００の視野角特性も制御部２０により補正される。具体的には、コントラスト比の視野角特性の関数ｙ１＝Ｆ（φ）（図３参照）は、補正後のコントラスト比の視野角特性の関数ｙ１ｒ＝Ｆｒ（φ）となるように制御部２０により補正される。より具体的には、視野角特性テーブル１９（図２参照）に格納されているｙ１の値に基づいて、補正後のコントラスト比の視野角特性の関数ｙ１ｒ＝Ｆｒ（φ）が制御部２０により算出される。この補正後のコントラスト比の視野角関数ｙ１ｒ＝Ｆｒ（φ）は、補正前のコントラスト比の視野角特性の関数ｙ１＝Ｆ（φ）と比較して、視野角に応じたコントラスト比の減少傾向が緩和された関数となっている。なお、テレビジョン装置２００は、本発明の「表示装置」の一例である。
【００４４】
そして、算出された補正後のコントラスト比の視野角特性の関数ｙ１ｒ＝Ｆｒ（φ）に基づいて、補正後のカラーゲイン補正量の関数ｙ３ｒ＝Ｈｒ（φ）＝−βＦｒ（φ）＋ｄが制御部２０により算出されるとともに、カラーゲイン補正量が算出され、このカラーゲイン補正量を用いて表示部１１に表示される画像のカラーゲインの補正が行われる。
【００４５】
なお、第２実施形態のその他の構成は、上記第１実施形態と同様である。
【００４６】
第２実施形態では、以下のような効果を得ることができる。
【００４７】
第２実施形態では、上記のように、表示部１１に表示される画像のブライトネス補正量の関数ｙ２＝Ｇ（φ）に基づく輝度（ブライトネス）の補正に基づいてコントラスト比の視野角特性を補正するとともに、補正後のコントラスト比の視野角特性の関数ｙ１ｒ＝Ｆｒ（φ）に基づいて表示部１１に表示される画像の色味（カラーゲイン）の補正を行うように制御部２０を構成する。これにより、輝度の補正によりコントラスト比の視野角特性を改善するとともに、改善されたコントラスト比の視野角特性に基づいて、画像の色味を補正することができるので、補正前のコントラストに関する視野角特性に基づいて画像の色味を補正する場合と異なり、より一層適切に画像の補正を行うことができる。
【００４８】
なお、第２実施形態のその他の効果は、上記第１実施形態と同様である。
【００４９】
（第３実施形態）
次に、図５および図６を参照して、第３実施形態について説明する。この第３実施形態では、上記第１実施形態とは異なり、テレビジョン装置３００の画像を複数のユーザが視聴する例について説明する。なお、テレビジョン装置３００は、本発明の「表示装置」の一例である。
【００５０】
第３実施形態では、まず、図５に示すように、テレビジョン装置３００が、ユーザＡおよびユーザＢの２人のユーザにより視聴されている場合について説明する。この場合、ユーザＡの表示部１１の垂線１０１に対する視野角φ１と、ユーザＢの表示部１１の垂線１０１に対する視野角φ２との２つの視野角が視野角検出部１２により検出される。
【００５１】
そして、検出された視野角φ１および視野角φ２に基づいて、各々のブライトネス補正量およびカラーゲイン補正量が制御部２０（図２参照）により算出される。すなわち、視野角φ１に対応するブライトネス補正量ｙ２ａおよびカラーゲイン補正量ｙ３ａと、視野角φ２に対応するブライトネス補正量ｙ２ｂおよびカラーゲイン補正量ｙ３ｂとが制御部２０により算出される。
【００５２】
この場合、表示部１１に表示される画像の補正値としては、各々の角度に対応する補正量の加重平均値が制御部２０により採用される。すなわち、ブライトネス補正量としては、（ｙ２ａ＋ｙ２ｂ）／２により算出される値が採用され、カラーゲイン補正量としては、（ｙ３ａ＋ｙ３ｂ）／２により算出される値が採用される。
【００５３】
また、図６では、テレビジョン装置３００がユーザＡ、ユーザＢおよびユーザＣの３人のユーザにより視聴される場合を示している。この場合にも、２人の場合と同様に、ユーザＡの視野角φ１と、ユーザＢの視野角φ２と、ユーザＣの視野角φ３とに基づいて、各々のブライトネス補正量およびカラーゲイン補正量が制御部２０により算出される。すなわち、視野角φ１に対応するブライトネス補正量ｙ２ａおよびカラーゲイン補正量ｙ３ａと、視野角φ２に対応するブライトネス補正量ｙ２ｂおよびカラーゲイン補正量ｙ３ｂと、視野角φ３に対応するブライトネス補正量ｙ２ｃおよびカラーゲイン補正量ｙ３ｃとが制御部２０により算出される。
【００５４】
この場合にも、表示部１１に表示される画像の補正値としては、各々の角度に対応する補正量の加重平均値が制御部２０により採用される。すなわち、ブライトネス補正量としては、（ｙ２ａ＋ｙ２ｂ＋ｙ２ｃ）／３により算出される値が採用され、カラーゲイン補正量としては、（ｙ３ａ＋ｙ３ｂ＋ｙ３ｃ）／３により算出される値が採用される。なお、この第３実施形態では、ユーザが２人および３人の場合について説明したが、ユーザが４人以上の場合についても同様である。
【００５５】
なお、第３実施形態のその他の構成は、上記第１実施形態と同様である。
【００５６】
第３実施形態では、以下のような効果を得ることができる。
【００５７】
第３実施形態では、上記のように、画像の色味（カラーゲイン）および輝度（ブライトネス）の補正の際に、コントラスト比の視野角特性に基づく色味の補正量を用いて色味の補正を行うように構成する。そして、複数のユーザ（ユーザＡ、ユーザＢおよびユーザＣ）により表示部１１が視聴される場合には、各々のユーザの表示部１１に対する各々の視野角φ１、φ２およびφ３に基づいて得られる色味（カラーゲイン）および輝度（ブライトネス）の補正量の平均値を取得するとともに、取得した色味（カラーゲイン）および輝度（ブライトネス）の補正量の平均値に基づいて、表示部１１に表示される画像の色味（カラーゲイン）および輝度（ブライトネス）の補正を行うように制御部２０を構成する。これにより、複数のユーザにより表示部１１が視聴される場合には、特定のユーザの視野角のみに基づいて補正がなされることなく、全てのユーザに対して適切な画像を提供することができる。
【００５８】
なお、第３実施形態のその他の効果は、上記第１実施形態と同様である。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記第１〜第３実施形態では、ユーザＡのテレビジョン装置１００（２００、３００）に対する左右方向の視野角φが視野角検出部１２により検出された例を示したが、本発明はこれに限られない。本発明では、図７に示す変形例のテレビジョン装置４００のように、ユーザＡのテレビジョン装置４００に対する上下方向の視野角θをも視野角検出部１２により検出されるように構成してもよい。また、上下方向の視野角θと、左右方向の視野角φとがそれぞれ検出されるとともに、それぞれの視野角に基づいて表示部１１に表示される画像の補正が制御部２０により行われるように構成してもよい。このように構成すれば、表示部１１に表示される画像をより一層適切に補正することができる。
【００６１】
また、上記第１〜第３実施形態では、視野角特性テーブル１９にコントラスト比の視野角特性の関数ｙ１＝Ｆ（φ）が格納された例を示したが、本発明はこれに限られない。本発明では、その他の関数についても、事前に算出することによりルックアップテーブルとして参照可能に構成されていてもよい。たとえば、ブライトネス補正量の関数ｙ２＝Ｇ（φ）、カラーゲイン補正量の関数ｙ３＝Ｈ（φ）、補正後のコントラスト比の視野角特性の関数ｙ１ｒ＝Ｆｒ（φ）、および、補正後のカラーゲイン補正量の関数ｙ３ｒ＝Ｈｒ（φ）＝−βＦｒ（φ）＋ｄをそれぞれ参照可能なルックアップテーブルを用意していてもよい。このように構成すれば、補正のための処理負荷が増加することをより抑制することができる。
【００６２】
また、上記第１〜第３実施形態では、表示部１１に表示される画像の色味および輝度が補正された例を示したが、本発明はこれに限られない。本発明では、カラーゲイン補正量に基づいて色味のみを補正してもよい。
【００６３】
また、上記第１〜第３実施形態では、視野角検出部１２によりユーザＡの表示部１１の垂線１０１に対する視野角が検出された例を示したが、本発明はこれに限られない。本発明では、ユーザがリモコンなどの操作機器により自ら視野角を入力するとともに、この入力された視野角に基づいて補正が行われるように構成されてもよい。
【００６４】
また、上記第３実施形態では、複数のユーザによりテレビジョン装置３００が視聴される場合に、補正量の平均値が採用された例を示したが、本発明はこれに限られない。本発明では、補正量を計算する前の視野角の平均値に基づいて、補正量が制御部２０により算出されるように構成されてもよい。
【符号の説明】
【００６５】
１１  表示部
１２  視野角検出部
２０  制御部
１００、２００、３００、４００  テレビジョン装置（表示装置）
【図１】
2015075731.tif 000003
【図２】
2015075731.tif 000004
【図３】
2015075731.tif 000005
【図４】
2015075731.tif 000006
【図５】
2015075731.tif 000007
【図６】
2015075731.tif 000008
【図７】
2015075731.tif 000009